(57)【要約】【課題】ゴルフティにおいてティ・アップの高さを正確にでき、かつ迅速確実にティ・アップを行うことができること。【解決手段】ゴルフティ１を使用する際には、２ｍｍピッチで細い溝５が設けられているので、平面７に印刷されている数字９及び目盛り８を読み取って、希望するティ・アップの高さに一致する数値の位置の細い溝５に弾性体リング６を移動させて嵌めておく。自分のティ・ショットの順番が来たら、受け皿部分２にゴルフボールを載せて親指でゴルフボールを受け皿部分２に押さえ付けながら、人差し指と中指でゴルフティ１の柱状部分３を挟んで先端の尖頭部分４から地面に垂直に差し込んで行く。そして、弾性体リング６が地面にぴったり当接したところで止めるが、ゴルフティ１の柱状部分３は赤色でそれに対して弾性体リング６は黒色なので目立ち、弾性体リング６が地面に当接したことを容易に確認できる。【選択図】        図１
2004344250.tif 000002
【特許請求の範囲】
【請求項１】
ゴルフボールを乗せる受け皿部分と、その下に続く略円柱状の柱状部分と、該柱状部分の先端に設けられた尖頭部分とからなるゴルフティにおいて、
前記柱状部分の長手方向に沿って一定の細かいピッチで前記柱状部分の全周に亘る複数の細い溝を設け、
内周が前記細い溝の全周より小さく前記柱状部分の色に対して目立つ色の弾性体リングを前記複数の細い溝のいずれかに嵌めたことを特徴とするゴルフティ。
【請求項２】
前記柱状部分の円周方向の一部の長手方向に沿って前記細い溝に目盛りを付け、前記受け皿部分の上端からの長さを表す数字を切りの良い長さごとに前記目盛りの近傍に付したことを特徴とする請求項１に記載のゴルフティ。
【請求項３】
前記柱状部分のうち地面に差し込まれる可能性のある部分のみに前記複数の細い溝を設け、前記目盛りと前記数字を付したことを特徴とする請求項１または請求項２に記載のゴルフティ。
【請求項４】
前記柱状部分の円周方向の一部を長手方向に沿って平面にして、前記平面を除いて前記複数の細い溝を設け、前記平面に前記目盛りと前記数字を付したことを特徴とする請求項２または請求項３に記載のゴルフティ。
【請求項５】
前記柱状部分の円周方向の一部を長手方向に沿って平面にして、前記平面も含めた前記柱状部分の全周に前記複数の細い溝を設け、前記平面に前記目盛りと前記数字を付したことを特徴とする請求項２または請求項３に記載のゴルフティ。
【発明の詳細な説明】
【０００１】
【発明の属する技術分野】
本発明は、ゴルフで使用されるゴルフティに関するもので、特にティ・アップの高さを容易に安定させることができるゴルフティに関するものである。
【０００２】
【従来の技術】
【特許文献１】特開平８−３８６６３号公報
従来のゴルフティはプラスティック製や木製であって、単色無地のものが多かった。そして、ティ・ショットの際には、ゴルフティの頭部の受け皿部分にゴルフボールを乗せ、親指でボールをゴルフティの受け皿部分に押さえ付けながら、人差し指と中指でゴルフティの柱状部分を挟んで先端の尖頭部分から柱状部分の途中までをティ・グラウンドに突き刺して、略垂直に立てて使用している。
しかし、この際、目測のみによってクラブヘッドに合った高さにボールをティ・アップしなければならず、ほんの少しの高さのずれがティ・ショットの失敗の原因になり得るため、より正確にティ・アップできるゴルフティが要求されていた。
【０００３】
そこで、上記特許文献１に記載された発明においては、ゴルフティの柱状部分に地面からのボールの高さを示す目盛り・目印を施し、または一定の間隔ごとに柱状部分を異なる色彩や模様に塗り分けることによって、これらの目盛り・目印等によってボールが一定の適当な高さに位置するようにゴルフティの突き刺し深さを調節する。これによって、ティ・アップ時におけるボールの高さが安定し、より正確にボールを打ち出すことができるとされている。
【０００４】
【発明が解決しようとする課題】
しかしながら、上記特許文献１に記載の発明においては、目盛り・目印等をゴルフティの柱状部分に付けただけなので、ティ・アップの度に一々細かい目盛り等を数えなければならず、数え間違える可能性があり、数え間違えないようにすると時間がかかる。また、風がアゲンストの場合には風の強さによってはティ・アップの高さを変える必要があるが、かかる場合にも変える高さを計算に入れて一々細かい目盛り等を数えなければならないため、数え間違えないようにすると時間がかかり、他のプレーヤーに迷惑をかけることになる。
【０００５】
また、実際に使用していると、その高さが２ｃｍ程度の範囲内の調節になり、前回使用した高さと前々回使用した高さが混在し、目盛りが指標として機能しなくなることもある。
【０００６】
更に、現今、４００〜５００ｃｃという大きなヘッドのドライバーが販売され、そのスイートスポットが比較的広くなっていても、ティ・アップの高さを正確に行う必要がある。しかし、そのティ・アップの高さが高いことから、その誤差が大きくなってしまうので、それを少なくするようにティ・アップ時に細心の注意が必要であった。
【０００７】
そこで、本発明は、ティ・アップの高さを正確にでき、かつ迅速確実にティ・アップを行うことができるゴルフティを提供することを課題とするものである。
【０００８】
【課題を解決するための手段】
請求項１の発明にかかるゴルフティは、ゴルフボールを乗せる受け皿部分と、その下に続く略円柱状の柱状部分と、該柱状部分の先端に設けられた尖頭部分とからなるゴルフティであって、前記柱状部分の長手方向に沿って一定の細かいピッチで前記柱状部分の全周に亘る複数の細い溝を設け、内周が前記細い溝の全周より小さく前記柱状部分の色に対して目立つ色のゴムリング、エラストマーリング等の弾性体リングを前記複数の細い溝のいずれかに嵌めたものである。
【０００９】
このように、一定の細かいピッチで設けられた複数の細い溝のうち、自分のクラブに合ったティ・アップの高さに相当する位置の溝に予め弾性体リングを弾性力で締め付けて嵌めておけば、受け皿部分にボールを乗せて弾性体リングが地面と接するまでゴルフティを差し込むだけで、最適の高さに迅速確実にティ・アップすることができる。この際、弾性体リングは柱状部分の色に対して目立つ色をしているので、容易に弾性体リングが地面と接することを確認することができる。また、弾性体リングは細い溝に全周が弾性力で締め付けられて嵌められているので、地面と当接してもずれることはない。
【００１０】
また、風がアゲンスト等の理由でティ・アップの高さを変える必要がある場合にも、弾性体リングは弾力があるので力を加えれば次々と隣の溝へ移動させることができ、細い溝のピッチに応じて必要なだけ弾性体リングを移動させてから、同様にティ・アップを行えば良い。
【００１１】
このようにして、ティ・アップの高さを正確にでき、かつ迅速確実にティ・アップを行うことができるゴルフティとなる。
【００１２】
請求項２の発明にかかるゴルフティは、請求項１の構成において、前記柱状部分の円周方向の一部の長手方向に沿って前記細い溝に目盛りを付け、前記受け皿部分の上端からの長さを表す数字を切りの良い長さ（例えば１０ｍｍ）ごとに前記目盛りの近傍に付したものである。
【００１３】
これによって、弾性体リングの嵌められている溝の目盛りを読み取ることによりティ・アップの高さを数値として知ることができ、弾性体リングを移動させているうちに元の位置が分からなくなるといったトラブルを防ぐことができる。そして、自分の望みの高さに正確にティ・アップすることができる。
【００１４】
このようにして、ティ・アップの高さを正確にでき、かつ迅速確実にティ・アップを行うことができるゴルフティとなる。
【００１５】
請求項３の発明にかかるゴルフティは、請求項１または請求項２の構成において、前記柱状部分のうち地面に差し込まれる可能性のある部分のみに前記複数の細い溝を設け、前記目盛りと前記数字を付したものである。
【００１６】
ゴルフティの柱状部分のうち、受け皿部分に近い部分は通常のティ・ショットに用いられる限り、地面に差し込まれる可能性がない。かかる部分にまで細い溝を設け、また目盛りと数字を付すことは、プラスティックの射出成形で金型のキャビティに細い溝も目盛りと数字も全て彫り込んでおく場合は別として、プラスティック製または木製等の通常のゴルフティに機械加工等で細い溝を刻み、また目盛りと数字を付すのは時間と労力の浪費であり、また射出成形で金型を余分に加工する場合も含めていたずらにコストを上げるだけである。
【００１７】
そこで、柱状部分のうち地面に差し込まれる可能性のある部分のみに複数の細い溝を設け、また目盛りと数字を付すことによって、無駄な労力を省いて短時間で本発明にかかるゴルフティを製造することができる。
【００１８】
このようにして、短時間で低コストで製造でき、ティ・アップの高さを正確にでき、かつ迅速確実にティ・アップを行うことができるゴルフティとなる。
【００１９】
請求項４の発明にかかるゴルフティは、請求項２または請求項３の構成において、前記柱状部分の円周方向の一部を長手方向に沿って平面にして、前記平面を除いて前記複数の細い溝を設け、前記平面に前記目盛りと前記数字を付したものである。
【００２０】
目盛りと数字を印刷によって付する場合、柱状部分の曲面に印刷するのは困難である。そこで、柱状部分の円周方向の一部を長手方向に沿って平面にし、柱状部分の全周のうちこの平面は除いて複数の細い溝を設け、そしてこの平面に目盛りと数字を印刷することによって、鮮明に印刷することができる。なお、この平面は、プラスティック製または木製等の通常のゴルフティを平らに削っても良いし、プラスティックの射出成形によって複数の細い溝と平面とを同時に形成しても良い。
【００２１】
このようにして、目盛りと数字が鮮明に印刷され、ティ・アップの高さを正確にでき、かつ迅速確実にティ・アップを行うことができるゴルフティとなる。
【００２２】
請求項５の発明にかかるゴルフティは、請求項２または請求項３の構成において、前記柱状部分の円周方向の一部を長手方向に沿って平面にして、前記平面も含めた前記柱状部分の全周に前記複数の細い溝を設け、前記平面に前記目盛りと前記数字を付したものである。
【００２３】
印刷以外の方法であれば、平面にも細い溝が設けられていても、目盛りと数字を鮮明に付すことは可能である。そして、柱状部分の全周に細い溝が設けられていることによって、弾性体リングが地面と接するまでゴルフティを差し込む際にも弾性体リングは細い溝に全周が弾性力で締め付けられて嵌められているので、多少強く地面と当接してもずれることはない。
【００２４】
このようにして、目盛りと数字が鮮明に付されるとともに弾性体リングがよりずれ難く、ティ・アップの高さを正確にでき、かつ迅速確実にティ・アップを行うことができるゴルフティとなる。
【００２５】
【発明の実施の形態】
以下、本発明の実施の形態について、図面を参照して説明する。
【００２６】
実施の形態１
まず、本発明の実施の形態１について、図１及び図２を参照して説明する。図１は本発明の実施の形態１にかかるゴルフティの全体構成を示す全体図である。図２は本発明の実施の形態１にかかるゴルフティの使用方法を示す説明図である。
【００２７】
図１に示されるように、本実施の形態１にかかるゴルフティ１は、長く、衝撃力が強くかかることから、機械的強度の高いポリカーボネイト等のプラスティックからなり、受け皿部分２，柱状部分３，尖頭部分４が一体に成形されている。そして、柱状部分３の円周方向の一部が長手方向に沿って平面７とされており、受け皿部分２の上端２ａから５０ｍｍの長さの位置から、２ｍｍピッチで平面７を除く柱状部分３の周囲に幅約１ｍｍの細い溝５が複数設けられている。平面７には１ｍｍごとに目盛り８が印刷され、１０ｍｍごとに受け皿部分２の上端２ａからの長さを表す数字９（「５０」，「６０」，「７０」，「８０」）が印刷されている。
【００２８】
そして、複数の細い溝５の１箇所には、細い溝５の全周より内周の小さい黒色等の目立つ色で弾性を持つゴムまたはエラストマーからなる弾性体リング６が、その弾性力によって細い溝５を締め付けて嵌められている。図１においては、数字９及び目盛り８から読み取れるように、「６４ｍｍ」の位置の細い溝５に嵌まっているので、このまま用いればゴルフボールは地面から約６４ｍｍの高さにティ・アップされることになる。
【００２９】
本実施の形態１にかかるゴルフティ１の具体的な使用方法について、図２を参照して説明する。まず、希望するティ・アップの高さに一致する数値の位置の細い溝５に弾性体リング６を移動させて嵌めておくが、本実施の形態１においては２ｍｍピッチで細い溝５が設けられているので、２ｍｍ単位で高さを選択することになる。自分のティ・ショットの順番が来たら、受け皿部分２にゴルフボールＢを載せて親指でゴルフボールＢを受け皿部分２に押さえ付けながら、人差し指と中指でゴルフティ１の柱状部分３を挟んで先端の尖頭部分４から地面（ティ・グラウンド）Ｇに垂直に差し込んで行く。
【００３０】
そして、弾性体リング６が地面Ｇにぴったり当接したところで止めるが、このときゴルフティ１の柱状部分３は赤色でそれに対して弾性体リング６は黒色なので目立ち、弾性体リング６が地面Ｇに当接したことを容易に確認できる。図２においては、「５６ｍｍ」の位置の細い溝５に弾性体リング６が嵌まっているので、ゴルフボールＢは約５６ｍｍの高さにティ・アップされたことになる。
【００３１】
このようにして、本実施の形態１にかかるゴルフティ１においては、ティ・アップの高さを正確にでき、かつ迅速確実にティ・アップを行うことができる。また、柱状部分３のうち地面に差し込まれる可能性のない部分には細い溝５を設けず、目盛り８も数字９も印刷していないので、無駄を省いて低コストで製造できる。さらに、平面７を長手方向に設けてその上に目盛り８及び数字９を印刷しているので、鮮明な印刷がされる。
【００３２】
実施の形態２
次に、本発明の実施の形態２について、図３を参照して説明する。図３は本発明の実施の形態２にかかるゴルフティの全体構成を示す全体図である。
【００３３】
図３に示されるように、本実施の形態２にかかるゴルフティ１１は機械的強度の高いポリカーボネイト等のプラスティックからなり、受け皿部分２，柱状部分３，尖頭部分４が一体に成形されている。そして、柱状部分３の円周方向の一部が長手方向に沿って平面７とされており、受け皿部分２の上端２ａから５０ｍｍの長さの位置から、２ｍｍピッチで平面７も含む柱状部分３の全周に亘る幅約１ｍｍの細い溝１５が複数設けられている。平面７には１ｍｍごとに目盛り８が付され（したがって、目盛り８は１つおきに細い溝１５に付けられることになる。）、１０ｍｍごとに受け皿部分２の上端２ａからの長さを表す数字９（「５０」，「６０」，「７０」，「８０」）が刻印されている。
【００３４】
このように、本実施の形態２にかかるゴルフティ１１においては、柱状部分３平面７を含む全周に細い溝１５が設けられていることによって、弾性体リング６が地面と接するまでゴルフティ１１を差し込む際にも弾性体リング６は細い溝１５に全周が弾性力で締め付けられて嵌められているので、多少強く地面と当接してもずれることはない。また、ゴルフティ１１の柱状部分３は黄色でそれに対して弾性体リング６は黒色なので目立ち、弾性体リング６が地面に当接したことを容易に確認できる。
【００３５】
このようにして、本実施の形態２にかかるゴルフティ１１においては、ティ・アップの高さを正確にでき、かつ迅速確実にティ・アップを行うことができる。また、柱状部分３のうち地面に差し込まれる可能性のない部分には細い溝１５を設けず、目盛り８も数字９も付していないので、無駄を省いて低コストで製造できる。さらに、平面７を含む全周に細い溝１５が設けられていることによって、弾性体リング６が地面と接するまでゴルフティ１１を差し込む際にも弾性体リング６は細い溝１５に全周が弾性力で締め付けられて嵌められているので、多少強く地面と当接してもずれることはない。
【００３６】
上記各実施の形態においては、幅約１ｍｍの細い溝を２ｍｍピッチで設けているが、もっと細かく調節しようと思ったら、幅約１ｍｍの細い溝を１ｍｍピッチで設けても良いし、幅約０．５ｍｍの細い溝を１ｍｍピッチで設けても良い。
【００３７】
また、上記各実施の形態においては、弾性体リングを除くゴルフティ本体をプラスティックで成形しているが、ゴルフティ本体の材料としてはプラスティックに限られず、木材やセラミックス等のその他の材料を用いても良い。プラスティック材料の具体例としては、機械的強度の大きいポリカーボネート樹脂等が挙げられる。
【００３８】
さらに、上記各実施の形態においては、いずれも平面７を設けているが、目盛り及び数字を付ける方法によっては、平面７を設けることは本発明のゴルフティの必須の要件ではない。例えば、射出成形金型のゴルフティのキャビティに、必要な部分に幅約１ｍｍの細い溝を形成する突出部を２ｍｍピッチで設け、これに重ねて１ｍｍ単位の目盛りと１０ｍｍごとの数字を刻印し或いは浮き上がらせるための凸部或いは凹部を設ければ、一度の射出成形で柱状部分の全周に複数の細い溝を設けるとともに目盛り及び数字を付すことができ、平面７を設ける必要がない。
【００３９】
上記各実施の形態におけるゴルフティ本体の製造方法としても、射出成形で通常のゴルフティの形状のみをプラスティックで成形して、平面や細い溝は機械加工によって形成することもできるし、射出成形で平面を有するゴルフティの形状を成形して細い溝は機械加工によって形成することもできるし、射出成形で平面及び複数の細い溝を有するゴルフティを成形して、後は目盛りと数字を付して弾性体リングを嵌めるだけとすることもできる。
【００４０】
ゴルフティのその他の部分の構成、形状、数量、材質、大きさ、接続関係等についても、上記各実施の形態に限定されるものではない。
【００４１】
【発明の効果】
以上説明したように、請求項１の発明にかかるゴルフティは、受け皿部分と柱状部分と尖頭部分とからなるゴルフティであって、柱状部分の長手方向に沿って一定の細かいピッチで柱状部分の全周に亘る複数の細い溝を設け、柱状部分の色に対して目立つ色の弾性体リングを細い溝のいずれかに嵌めたものである。
【００４２】
このように、一定の細かいピッチで設けられた複数の細い溝のうち、自分のクラブに合ったティ・アップの高さに相当する位置の溝に予め弾性体リングを嵌めておけば、受け皿部分にボールを乗せて弾性体リングが地面と接するまでゴルフティを差し込むだけで、最適の高さに迅速確実にティ・アップすることができる。弾性体リングは柱状部分に対して目立つ色をしているので、容易に弾性体リングが地面と接することを確認できる。また、弾性体リングは細い溝に全周が弾性力で締め付けられて嵌められているので、地面と当接してもずれることはない。
【００４３】
また、ティ・アップの高さを変える必要がある場合にも、弾性体リングは弾力があるので力を加えれば次々と隣の溝へ移動させることができ、細い溝のピッチに応じて必要なだけ弾性体リングを移動させてから、ティ・アップを行えば良い。このようにして、ティ・アップの高さを正確にでき、かつ迅速確実にティ・アップを行うことができるゴルフティとなる。
【００４４】
請求項２の発明にかかるゴルフティは、請求項１の構成において、柱状部分の円周方向の一部の長手方向に沿って細い溝に目盛りを付け、受け皿部分の上端からの長さを表す数字を切りの良い長さごとに目盛りの近傍に付したものである。
【００４５】
これによって、弾性体リングの嵌められている溝の目盛りを読み取ることによりティ・アップの高さを数値として知ることができ、弾性体リングを移動させているうちに元の位置が分からなくなるといったトラブルを防ぐことができる。そして、自分の望みの高さに正確にティ・アップすることができる。
【００４６】
請求項３の発明にかかるゴルフティは、請求項１または請求項２の構成において、柱状部分のうち地面に差し込まれる可能性のある部分のみに複数の細い溝を設け、目盛りと数字を付したものである。
【００４７】
ゴルフティの柱状部分のうち、受け皿部分に近い部分は通常のティ・ショットに用いられる限り、地面に差し込まれる可能性がない。かかる部分にまで細い溝を設けまた目盛りと数字を付すことは時間と労力の浪費であり、いたずらにコストを上げるだけである。そこで、柱状部分のうち地面に差し込まれる可能性のある部分のみに複数の細い溝を設け、また目盛りと数字を付すことによって、無駄な労力を省いて短時間で本発明にかかるゴルフティを製造することができる。
【００４８】
請求項４の発明にかかるゴルフティは、請求項２または請求項３の構成において、柱状部分の円周方向の一部を長手方向に沿って平面にして、平面を除いて複数の細い溝を設け、平面に目盛りと数字を付したものである。
【００４９】
目盛りと数字を印刷によって付する場合、柱状部分の曲面に印刷するのは困難である。そこで、柱状部分の円周方向の一部を長手方向に沿って平面にし、柱状部分の全周のうちこの平面は除いて複数の細い溝を設け、そしてこの平面に目盛りと数字を印刷することによって、鮮明に印刷することができる。このようにして、目盛りと数字が鮮明に印刷され、ティ・アップの高さを正確にでき、かつ迅速確実にティ・アップを行うことができるゴルフティとなる。
【００５０】
請求項５の発明にかかるゴルフティは、請求項２または請求項３の構成において、柱状部分の円周方向の一部を長手方向に沿って平面にして、平面も含めた柱状部分の全周に複数の細い溝を設け、平面に目盛りと数字を付したものである。
【００５１】
印刷以外の方法であれば、平面にも細い溝が設けられていても、目盛りと数字を鮮明に付すことは可能である。そして、柱状部分の全周に細い溝が設けられていることによって、弾性体リングが地面と接するまでゴルフティを差し込む際にも弾性体リングは細い溝に全周が弾性力で締め付けられて嵌められているので、多少強く地面と当接してもずれることはない。
【００５２】
このようにして、目盛りと数字が鮮明に付されるとともに弾性体リングがよりずれ難く、ティ・アップの高さを正確にでき、かつ迅速確実にティ・アップを行うことができるゴルフティとなる。
【図面の簡単な説明】
【図１】図１は本発明の実施の形態１にかかるゴルフティの全体構成を示す全体図である。
【図２】図２は本発明の実施の形態１にかかるゴルフティの使用方法を示す説明図である。
【図３】図３は本発明の実施の形態２にかかるゴルフティの全体構成を示す全体図である。
【符号の説明】
１，１１  ゴルフティ
２  受け皿部分
２ａ  受け皿部分の上端
３  柱状部分
４  尖頭部分
５，１５  複数の細い溝
６  弾性体リング
７  平面
８  目盛り
９  数字
Ｂ  ゴルフボール
Ｇ  地面
【図１】
2004344250.tif 000003
【図２】
2004344250.tif 000004
【図３】
2004344250.tif 000005